(57)【要約】【課題】  床が幕板の下辺と平行でなくとも、簡易な構成で、テーブル使用時のがたつき・移動・見栄えの悪化を防止することのできる折り畳みテーブルを提供する。【解決手段】  水平状態から回転可能な天板４と、天板４を支持する一対の脚部６と、脚部６の下部に設置されるキャスター８と、上下動可能に設置される、脚部６の間を覆う幕板１０と、天板４及び幕板１０を、天板４の水平状態への回転に伴い幕板１０を下降させるように連結するリンク１２と、幕板１０の下部に設置され、ストッパー軸５０を有するストッパー５２とを備え、天板４が水平状態であっても、幕板１０の下辺はキャスター８下側より上に位置し、ストッパー軸５０は、バネ５８と接続されており、下端が幕板１０の下辺から出るように配置され、天板４が水平状態である場合に、当該下端がキャスター８下側より下へ下降可能に配置され、バネ５８の作用によって床Ｆを押圧する。【選択図】  図１
2008119046.tif 000002
【特許請求の範囲】
【請求項１】
水平状態から起立状態まで回転可能な天板と、
天板を支持する少なくとも一対の脚部と、
脚部の下部に設置されるキャスターと、
上下動可能に設置される、脚部間を覆う幕板と、
天板及び幕板を、天板の水平状態への回転に伴い幕板を下降させるように連結するリンクと、
幕板の下部に設置され、床押圧部材を有するストッパーと
を備え、
天板が水平状態であっても、幕板の下辺はキャスター下側より上に位置し、
床押圧部材は、
弾性体と接続され、あるいは弾性体とされており、
下端が幕板の下辺から出るように配置され、
天板が水平状態である場合に、当該下端がキャスター下側より下へ下降可能に配置され、弾性体の作用によって床を押圧する
ことを特徴とする折り畳みテーブル。
【請求項２】
床押圧部材が上下を向いた棒状であり、幕板の左右に設けられる
ことを特徴とする請求項１に記載の折り畳みテーブル。
【発明の詳細な説明】
【技術分野】
【０００１】
本発明は、オフィスの会議室等で用いられる折り畳みテーブルに関する。
【背景技術】
【０００２】
従来の折り畳みテーブルとして、下記特許文献１に記載のものが知られている。この折り畳みテーブルは、移動用のキャスターを備えると共に、天板と幕板とを連結するリンクを備えており、天板を使用のため水平状態とすると、リンクを介して幕板が押し降ろされ、幕板の下辺が床に当接してキャスターによる移動が阻止される一方、天板を折り畳んで起立状態とすると、リンクを介して幕板が引き上げられ、幕板の下辺が床から離れてキャスターによる移動が可能となるものである。
【０００３】
【特許文献１】実公昭６４−１１３号公報
【発明の開示】
【発明が解決しようとする課題】
【０００４】
このような折り畳みテーブルでは、幕板の下辺を床に当接させるので、簡易な構成でテーブル使用時の移動を阻止できるものの、幕板の下辺が水平であるにもかかわらず床が水平でない等、床面が幕板の下辺と平行でない場合には、幕板の下辺の一部が床面から浮いてしまい、テーブル使用時に、がたつきを発生させたり、キャスターによる移動を阻止できなかったり、見栄えが悪かったりすることがある。
【０００５】
そこで、請求項１に記載の発明は、床が幕板の下辺と平行でなくとも、簡易な構成で、テーブル使用時のがたつき・移動・見栄えの悪化を防止することのできる折り畳みテーブルを提供することを目的としたものである。
【課題を解決するための手段】
【０００６】
上記目的を達成するために、請求項１に記載の発明は、水平状態から起立状態まで回転可能な天板と、天板を支持する少なくとも一対の脚部と、脚部の下部に設置されるキャスターと、上下動可能に設置される、脚部間を覆う幕板と、天板及び幕板を、天板の水平状態への回転に伴い幕板を下降させるように連結するリンクと、幕板の下部に設置され、床押圧部材を有するストッパーとを備え、天板が水平状態であっても、幕板の下辺はキャスター下側より上に位置し、床押圧部材は、弾性体と接続され、あるいは弾性体とされており、下端が幕板の下辺から出るように配置され、天板が水平状態である場合に、当該下端がキャスター下側より下へ下降可能に配置され、弾性体の作用によって床を押圧する
ことを特徴とするものである。
【０００７】
請求項２に記載の発明は、上記目的に加えて、床が水平でなくとも、折り畳みテーブルをより一層効率良く使用時に固定する目的を達成するため、上記発明にあって、床押圧部材が上下を向いた棒状であり、幕板の左右に設けられることを特徴とするものである。
【発明の効果】
【０００８】
本発明によれば、弾性体の作用によって床を押圧する床押圧部材を備えるので、折り畳みテーブルにあって、簡易な構成で、テーブル使用時のがたつき・移動を防止し、幕板を保護して美観を保持することができる、という効果を奏する。
【発明を実施するための最良の形態】
【０００９】
以下、本発明の実施形態につき説明する。ただし、本発明の実施形態は、以下の実施形態に限定されない。
【００１０】
［第１実施形態］
図１は第１実施形態に係る折り畳みテーブル１の使用時における右半部斜視図であり、図２は折り畳みテーブル１の折り畳み時における中央右視断面図であり、図３は図１における中央右視断面図である。折り畳みテーブル１は、ほぼ左右対称であるので、右半部を中心に説明する。
【００１１】
折り畳みテーブル１は、前後に長い一対の天受部２を含む天板４と、対応する天受部２を軸支する一対の脚部６と、各脚部６の下側前後に設けられたキャスター８と、各脚部６の後において上下動可能に設置される幕板１０と、幕板１０及び天受部２を連結するリンク１２を備える。
【００１２】
天受部２は、後下部に軸受板２０を備えており、軸受板２０の前部は、脚部６の上部内側と一体の軸付板２２に軸着される。又、軸受板２０は、内側へ向かう突起２４を備える。各脚部６の間には、自身の軸周りで回転可能に連動棒２６が設けられ、連動棒２６の各端付近には、ロック爪２８が、連動棒２６と一体に設けられる。そして、テーブル使用時においては、ロック爪２８が突起２４に掛かって天板４を水平状態に保持し、折り畳み開始時には、連動棒２６の回転によりロック爪２８が突起２４から離れることで天板４の起立状態への回転を許す。なお、連動棒２６は、バネ３０によって、ロック爪２８が突起２４に掛かる方向へ付勢されている。
【００１３】
ロック爪２８の外側には、突出部３２が連動棒２６と一体に設けられており、突出部３２は、テーブル使用時、天受部２に受け入れられる。天受部２の内部には、前端縁の露出するレバー３４が、前後移動可能に設けられており、レバー３４の後部において突出部３２を受入可能である。そして、折り畳み開始時、レバー３４の露出部分が前方へ引かれると、レバー３４の後部が突出部３２に係合して突出部３２の頭部を引き、連結棒２６を介してロック爪２８を突起２６から離れる方向へ回転させる。
【００１４】
脚部６はＬ字状であり、前後方向となった下部の前後端縁に、キャスター８がそれぞれ設けられる。各キャスター８は、鉛直軸周りで回転可能に設置され、方向転換をすることができるようになっている。
【００１５】
脚部６の起立部内側後部には、図４にも示すように、上下にわたりガイド溝３８が形成されている。一方、図５にも示す幕板１０の前面（裏面）縦辺縁には、上下にベアリング４０を軸支する縦辺縁に沿った幕板レール４２が設けられる。各ベアリング４０は、脚部６のガイド溝３８に転動可能に入れられ、幕板１０は、脚部６の後側において、ガイド溝３８に沿って上下動可能である。
【００１６】
更に、幕板１０は、前面において、前方へ突出するリンク板４４を一体に備えている。リンク１２は、一端がリンク板４４の先端縁に軸支され、他端が天受部２の軸受板２０の中央付近に軸支されることで、幕板１０と天板４とを連結する。
【００１７】
テーブル折り畳み時、軸受板２０はリンク１２を引き上げ、幕板１０がリンク板４４を通じて上昇している（図２）。テーブル使用開始時、天板４の回転に伴い軸受板２０がリンク１２を押し下げ、幕板１０はリンク板４４を通じて下降する。テーブル使用時、軸受板２０はリンク１２を介して幕板１０を完全に下げるが、幕板１０の下辺は、キャスター８下側より上に配置され、床Ｆに接触することはない（図３）。
【００１８】
そして、幕板１０の前面下部には、床押圧部材としてのストッパー軸５０を有するストッパー５２が設置されている。図６に分解して示すストッパー５２は、ストッパー軸５０を通す孔５４が開けられた上下面及び側面を有するストッパー枠５６と、ストッパー枠５６内でストッパー軸５０に外装される弾性体としてのバネ５８と、バネ５８及びストッパー枠５６の下面の間においてストッパー軸５０に挿通するピン６０を含む。ピン６０は、孔５４の直径より大きく、ストッパー軸５０の落下を防ぐ。又、ピン６０は、バネ５８の下部に接触して、ストッパー軸５０とバネ５８を接続し、バネ５８を押圧することができる。
【００１９】
ストッパー５２は、ストッパー軸５０が幕板１０の下辺から出る状態で設置される。テーブル折り畳み時、ストッパー軸５０の下端はキャスター８下側から出ず、ピン６０は下の孔５４の周囲に掛かっており、バネ５８は自然状態で自然長である。一方、テーブル使用時、ストッパー軸５０の下端は、キャスター８下側より下に位置することができて床Ｆに押し上げられ、ピン６０は、ストッパー軸５０と共に上昇してバネ５８を押圧し、バネ５８は、下方への反発力を、ピン６０を介してストッパー軸５０に作用させる。ストッパー軸５０の下端は、テーブル使用時においても、キャスター８下側より上に移動することができ、更には幕板１０の下辺より上に移動することもできる。
【００２０】
第１実施形態の折り畳みテーブル１では、水平状態から起立状態まで回転可能な天板４と、天板４を支持する少なくとも一対の脚部６と、脚部６の下部に設置されるキャスター８と、上下動可能に設置される、脚部６の間を覆う幕板１０と、天板４及び幕板１０を、天板４の水平状態への回転に伴い幕板１０を下降させるように連結するリンク１２と、幕板１０の下部に設置され、ストッパー軸５０を有するストッパー５２とを備え、天板４が水平状態であっても、幕板１０の下辺はキャスター８下側より上に位置し、ストッパー軸５０は、バネ５８と接続されており、下端が幕板１０の下辺から出るように配置され、天板４が水平状態である場合に、当該下端がキャスター８下側より下へ下降可能に配置され、バネ５８の作用によって床Ｆを押圧するので、床Ｆが傾いていたり、床Ｆに凹凸があったりして、床Ｆと幕板１０の下辺とが共に水平でなくても、ストッパー軸５０によって床Ｆを押圧し、使用時における折り畳みテーブル１の、キャスター８による移動や、幕板１０又はストッパー５２によるがたつきを防止することができる。又、幕板１０の下端が傷つかず、幕板１０の美観を保持することができる。
【００２１】
又、ストッパー軸５０は上下を向いた棒状であり、幕板１０の左右に設けられるので、幕板１０下部の左右両側において床Ｆを点で押圧することができ、床Ｆが水平でなくとも、折り畳みテーブル１を効率良く使用時に固定することができる。
【００２２】
［第２実施形態］
本実施形態は、第１実施形態に比較して、ストッパーのみ相違する。図７は第２実施形態の折り畳みテーブルにおける幕板６０及びストッパー６２の斜視図であり、図８は図７の一部分解斜視図であり、図９はストッパー６２の内部説明図である。
【００２３】
ストッパー６２は、幕板６０の下端縁を包含する開蓋箱状の床押圧部材であるカバー７０と、幕板６０の下辺と同様の大きさを有する弾性体としての波形バネ７２とを備えている。カバー７０の両側面には、上下方向に長い孔７４が設けられており、カバー７０は、対応する孔７４を外から通って幕板６０側面に固定されるピン７６によって、孔７４の範囲で上下動可能に設置されている。又、波形バネ７２は、カバー７０内に収容されている。
【００２４】
ストッパー６２は、カバー７０の下面が幕板６０の下面より下方となる状態で設置される。テーブル折り畳み時、カバー７０の下面はキャスターの下側から出ず、ピン７６は孔７４の上端に位置しており、波形バネ７２は自然状態で自然長である。一方、テーブル使用時、カバー７０の下面は、キャスターの下側より下に位置することができて床に押し上げられ、ピン７６は、孔７４を相対的に下降し、幕板６０下面及びカバー７０内面は、その間を狭めて波形バネ７２を圧縮し、波形バネ７２は、下方への反発力を、カバー７０に作用させる。カバー７０の下面は、テーブル使用時においても、キャスターの下側より上に移動することができる。
【００２５】
第２実施形態の折り畳みテーブルでは、水平状態から起立状態まで回転可能な天板と、天板を支持する少なくとも一対の脚部と、脚部の下部に設置されるキャスターと、上下動可能に設置される、脚部間を覆う幕板６０と、天板及び幕板６０を、天板の水平状態への回転に伴い幕板６０を下降させるように連結するリンクと、幕板６０の下部に設置され、カバー７０を有するストッパー６２とを備え、天板が水平状態であっても、幕板６０の下辺はキャスター下側より上に位置し、カバー７０は、波形バネ７２と接続されており、下端が幕板６０の下辺から出るように配置され、天板が水平状態である場合に、当該下端がキャスター下側より下へ下降可能に配置され、波形バネ７２の作用によって床を押圧するので、床が傾いていたり、床に凹凸があったりして、床と幕板６０の下辺とが共に水平でなくても、カバー７０によって床をその状態に応じて押圧し、使用時における折り畳みテーブルの、キャスターによる移動や、幕板６０又はストッパー６２によるがたつきを防止することができる。又、幕板６０の下面が傷つかず、幕板６０を保護することができる。
【００２６】
［変更例］
なお、主に上記実施形態を変更して成る、本発明の他の実施形態を例示する。第１実施形態のストッパーにおいて、バネを外装せず、ストッパー軸をバネやゴム棒等の弾性体とする。又、第１実施形態のストッパーに代えて、幕板のテーブル折り畳み時の下面に一部入れ込んだ弾性体からなるストッパーを採用する。各種孔及びピンを、互いに逆の部材に入れ替えて設置する。
【図面の簡単な説明】
【００２７】
【図１】本発明の第１実施形態に係る折り畳みテーブルの使用時における右半部説明図である。
【図２】第１実施形態に係る折り畳みテーブルの折り畳み時における中央右視断面図である。
【図３】図１の折り畳みテーブルの中央右視断面図である。
【図４】図２の折り畳みテーブルにおける脚部付近の中央下視断面図である。
【図５】図２の折り畳みテーブルにおける幕板及びストッパーの斜視図である。
【図６】図５におけるストッパーの分解斜視図である。
【図７】本発明の第２実施形態に係る折り畳みテーブルにおける幕板及びストッパーの斜視図である。
【図８】図７の一部分解図である。
【図９】図７におけるストッパーの（ａ）テーブル折り畳み時、（ｂ）テーブル使用時の内部説明図である。
【符号の説明】
【００２８】
１    折り畳みテーブル
４    天板
６    脚部
８    キャスター
１０，６０    幕板
１２    リンク
５０    ストッパー軸（床押圧部材）
５２，６２    ストッパー
５８    バネ（弾性体）
７０    カバー（床押圧部材）
７２    波形バネ（弾性体）
【図１】
2008119046.tif 000003
【図２】
2008119046.tif 000004
【図３】
2008119046.tif 000005
【図４】
2008119046.tif 000006
【図５】
2008119046.tif 000007
【図６】
2008119046.tif 000008
【図７】
2008119046.tif 000009
【図８】
2008119046.tif 000010
【図９】
2008119046.tif 000011